(57)【特許請求の範囲】
【請求項１】
顔の各部毎の部分画像を組み合わせて似顔絵画像を作成し、この作成された似顔絵画像を表示部に表示させる画像作成装置において、
前記似顔絵画像を構成している複数の部分画像を指定するための指定データと前記似顔絵画像と共に表示されるコメントデータとを受信する受信手段と、
この受信手段により受信された指定データにより指定された複数の部分画像を組み合わせて似顔絵画像を自動的に作成しこの作成された似顔絵画像を前記表示部に表示させる第１の表示制御手段と、
この第１の表示制御手段の制御により表示された似顔絵画像と共に、前記受信手段により受信されたコメントデータを前記表示部に表示させる第２の表示制御手段と、
を有することを特徴とする画像作成装置。
【請求項２】
顔の各部毎の部分画像を組み合わせて似顔絵画像を作成し、この作成された似顔絵画像を表示部に表示させる画像作成装置において、
前記作成された似顔絵画像を第１の似顔絵画像として前記表示部に表示させる第１の表示制御手段と、
この第１の表示制御手段の制御により表示されている第１の似顔絵画像を構成している複数の部分画像を指定するための指定データと前記第１の似顔絵画像と共に表示される第１のコメントデータとを外部の電子機器に送信する送信手段と、
この送信手段により前記指定データと前記第１のコメントデータとを外部の電子機器へ送信した後、前記外部の電子機器から前記第１の似顔絵画像とは異なる第２の似顔絵画像を構成している複数の部分画像を指定するための指定データと当該第２の似顔絵画像と共に表示される第２のコメントデータとを受信する受信手段と、
この受信手段により受信された指定データにより指定された複数の部分画像を組み合わせて似顔絵画像を自動的に作成しこの作成された似顔絵画像を前記表示部に表示させる第１の表示制御手段と、
この第１の表示制御手段の制御により表示された似顔絵画像と共に、前記受信手段により受信されたコメントデータを前記表示部に表示させる第２の表示制御手段と、
を有することを特徴とする画像作成装置。
【請求項３】
複数の部分画像の組み合わせからなる似顔絵画像を作成し、この作成された似顔絵画像を表示部に表示させる画像作成装置に用いられるデータ通信方法において、
前記作成された似顔絵画像を前記表示部に表示させる第１の表示ステップと、
文字または数字からなる文字データを指定するデータ指定ステップと、
前記データ指定ステップにより指定された文字データを前記表示部に表示させる第２の表示ステップと、
相手先の電子機器の表示部に表示させるために送信するとともに、当該相手先の電子機器の表示部に表示されている似顔絵画像を変化させるために前記表示ステップにより表示された文字データを送信する送信ステップと、
を備えていることを特徴とするデータ通信方法。
【請求項４】
顔の各部毎の部分画像を組み合わせて似顔絵画像を作成し、この作成された似顔絵画像を表示部に表示させる画像表示制御方法において、
前記表示部に前記作成された似顔絵画像を表示後、文字または数字からなるデータを外部から受信する受信ステップと、
この受信ステップにより受信されたデータに応じて、前記表示部に表示されている似顔絵画像を構成する複数の部分画像の一部を他の部分画像へ置き換え、当該似顔絵画像を変化表示させる表示制御ステップと、
を有することを特徴とする画像表示制御方法。
【発明の詳細な説明】
【０００１】
【産業上の利用分野】
本発明は、画像作成装置、画像表示制御方法およびデータ通信方法に関する。
【０００２】
【従来の技術】
従来、電子手帳等のような電子機器においては、名刺をもらった人の似顔絵画像（モンタージュ画像ともいう。）を作成して、その似顔絵画像を名刺データ等と共に登録しておくことのできるモンタージュ画像作成機能の組み込まれているものがある。
【０００３】
【発明が解決しようとする課題】
このような従来のモンタージュ画像作成機能は、名刺データと対応させて、その名刺の人のモンタージュ画像を表示等させることによって顔を忘れないようにしたり、あるいは顔を忘れてしまった場合に、モンタージュ画像を見ることによって顔を思い出すというような使い方しかできなかった。
【０００４】
本発明は、上記課題に鑑みてなされたものであり、作成した似顔絵画像を、様々なかたちのコミュニケーションに用いるなど、様々な用途に使用して楽しむことのできる画像作成装置、データ通信方法および画像表示制御方法を提供することである。
【０００５】
【課題を解決するための手段】
上記目的を達成するため、次のような構成を備えている。なお、各構成要素に付けた数字等は対応する実施例における図面参照符号等である。
すなわち、請求項１に係る画像作成装置は、
顔の各部毎の部分画像を組み合わせて似顔絵画像を作成（図８、図９）し、この作成された似顔絵画像を表示部（図１の７）に表示させる画像作成装置において、
前記似顔絵画像を構成している複数の部分画像を指定するための指定データと前記似顔絵画像と共に表示されるコメントデータとを受信する受信手段（図１の送受信部８；図１３のA３６）と、
この受信手段により受信された指定データにより指定された複数の部分画像を組み合わせて似顔絵画像を自動的に作成しこの作成された似顔絵画像を前記表示部に表示させる第１の表示制御手段（図１のＣＰＵ１；図１３のA３６）と、
この第１の表示制御手段の制御により表示された似顔絵画像と共に、前記受信手段により受信されたコメントデータを前記表示部に表示させる第２の表示制御手段（図１のＣＰＵ１；図１３のA３６）と、
を有することを特徴とする。
請求項２に係る画像作成装置は、
顔の各部毎の部分画像を組み合わせて似顔絵画像を作成（図８、図９）し、この作成された似顔絵画像を表示部に表示させる画像作成装置において、
前記作成された似顔絵画像を第１の似顔絵画像として前記表示部に表示させる第１の表示制御手段（図１のＣＰＵ１；図８のM３；図１０のA２０；図１５）と、
この第１の表示制御手段の制御により表示されている第１の似顔絵画像を構成している複数の部分画像を指定するための指定データと前記第１の似顔絵画像と共に表示される第１のコメントデータとを外部の電子機器に送信する送信手段（図１の送受信部８；図１２のA３１）と、
この送信手段により前記指定データと前記第１のコメントデータとを外部の電子機器へ送信した後、前記外部の電子機器から前記第１の似顔絵画像とは異なる第２の似顔絵画像を構成している複数の部分画像を指定するための指定データと当該第２の似顔絵画像と共に表示される第２のコメントデータとを受信する受信手段（図１の送受信部８；図１３のA３６）と、
この受信手段により受信された指定データにより指定された複数の部分画像を組み合わせて似顔絵画像を自動的に作成しこの作成された似顔絵画像を前記表示部に表示させる第１の表示制御手段（図１のＣＰＵ１；図１３のA３６；図１５）と、
この第１の表示制御手段の制御により表示された似顔絵画像と共に、前記受信手段により受信されたコメントデータを前記表示部に表示させる第２の表示制御手段（図１のＣＰＵ１；図１３のA３６；図１５）と、
を有することを特徴とする。
請求項３に係るデータ通信方法は、
複数の部分画像の組み合わせからなる似顔絵画像を作成し、この作成された似顔絵画像を表示部に表示させる画像作成装置（図１参照）に用いられるデータ通信方法において、
前記作成された似顔絵画像を前記表示部に表示させる第１の表示ステップと、
文字または数字からなる文字データを指定するデータ指定ステップ（図７のＡ３）と、
前記データ指定ステップにより指定された文字データを前記表示部に表示させる第２の表示ステップ（図１１のＡ２９）と、
相手先の電子機器の表示部に表示させるために送信するとともに、当該相手先の電子機器の表示部に表示されている似顔絵画像を変化させるために前記表示ステップにより表示された文字データを送信する送信ステップ（図７のＡ５；図１２）と、
を備えていることを特徴とする。
請求項４に係る画像表示制御方法は、
顔の各部毎の部分画像を組み合わせて似顔絵画像を作成し、この作成された似顔絵画像を表示部に表示させる画像表示制御方法において、
前記表示部に前記作成された似顔絵画像を表示後、文字または数字からなるデータを外部から受信する受信ステップ（図７のＡ２；図１３）と、
この受信ステップにより受信されたデータに応じて、前記表示部に表示されている似顔絵画像を構成する複数の部分画像の一部を他の部分画像へ置き換え、当該似顔絵画像を変化表示させる表示制御ステップ（図７のＡ２；図１３のＡ３９）と、
を有することを特徴とする。
【０００６】
表示手段は、似顔絵画像及びコメントデータ等を表示する。同手段は、例えば、液晶表示等からなる。表示制御手段は、前記似顔絵画像をコメントデータに応じて変化表示させる。同手段は、例えば、マイクロプロセッサ等からなる。
【０００７】
通信手段は、前記変化表示された似顔絵画像をコメントデータと共に送信する。同手段は、例えば、ＬＥＤ（発光ダイオード）、フォトトランジスタ等からなる。
【０００８】
第２の発明の手段は次の通りである。記憶手段は、顔の各部の画像を複数記憶する。同手段は、例えば、ＲＯＭ等からなる。
【０００９】
表示手段は、似顔絵画像及びコメントデータ等を表示する。同手段は、例えば、液晶表示等からなる。通信手段は、前記似顔絵画像をコメントデータと共に送信する。同手段は、例えば、ＬＥＤ（発光ダイオード）、フォトトランジスタ等からなる。
【００１０】
表示制御手段は、前記通信手段により受信した似顔絵画像を受信したコメントデータに応じて変化表示する。同手段は、例えば、マイクロプロセッサ等からなる。
【００１１】
また、本発明の他の手段は次の通りである。第１の記憶手段は、複数の顔画像を部分データ毎に記憶する。同手段は、例えば、ＲＯＭ等からなる。
【００１２】
第２の記憶手段は、第１の記憶手段に記憶されている顔の所定の部分毎に、その部分の変化部分画像を記憶する。同手段は、例えば、ＲＯＭ等からなる。
【００１３】
選択手段は、第１の記憶手段に記憶されている顔画像の任意の各部分画像を選択する。同手段は、例えば、キーボードに設けられるカーソルキー等からなる。
【００１４】
第３の記憶手段は、選択手段により選択された各部分画像により構成される顔画像を、例えば、請求項２記載のように、入力される文字や数字データと共に記憶する。同手段は、例えば、ＲＡＭ等からなる。
【００１５】
第４の記憶手段は、複数の質問データと、これら複数の質問データに対応する複数の返答データとにそれぞれ対応する表現データを記憶する。同手段は、例えばＲＯＭ等からなる。
【００１６】
通信手段は、記第３の記憶手段に記憶されている顔画像を第４の記憶手段に記憶されている表現データと共に送受信する。同手段は、例えば、ＬＥＤ（発光ダイオード）、フォトトランジスタ等からなる。
【００１７】
交換手段は、通信手段により受信された顔画像を構成する各部分データを、共に受信された表現データに基づいて、その表現データに対応する第２の記憶手段に記憶されている部分画像の変化画像と交換する。同手段は、例えば、マイクロプロセッサ等からなる。
【００１８】
【作用】
すなわち、請求項１に係る画像作成装置によれば、顔の各部毎の部分画像を組み合わせて似顔絵画像を作成し、この作成された似顔絵画像を表示部に表示させる画像作成装置において、前記似顔絵画像を構成している複数の部分画像を指定するための指定データと前記似顔絵画像と共に表示されるコメントデータとを受信すると、この受信された指定データにより指定された複数の部分画像を組み合わせて似顔絵画像を自動的に作成しこの作成された似顔絵画像を表示部に表示させることができるばかりでなく、この表示された似顔絵画像と共に、受信されたコメントデータを表示部に表示させることができる。
請求項２に係る画像作成装置によれば、顔の各部毎の部分画像を組み合わせて似顔絵画像を作成し、この作成された似顔絵画像を表示部に表示させる画像作成装置において、前記作成された似顔絵画像を第１の似顔絵画像として表示部に表示させることができる一方で、この表示されている第１の似顔絵画像を構成している複数の部分画像を指定するための指定データと第１の似顔絵画像と共に表示される第１のコメントデータとを外部の電子機器に送信し、この指定データと第１のコメントデータとを外部の電子機器へ送信した後、外部の電子機器から第１の似顔絵画像とは異なる第２の似顔絵画像を構成している複数の部分画像を指定するための指定データと当該第２の似顔絵画像と共に表示される第２のコメントデータとを受信すると、この受信された指定データにより指定された複数の部分画像を組み合わせて似顔絵画像を自動的に作成しこの作成された似顔絵画像を表示部に表示させることができる。そればかりでなく、この表示された似顔絵画像と共に、受信されたコメントデータを表示部に表示させることができる。
【００１９】
請求項３に係るデータ通信方法によれば、複数の部分画像の組み合わせからなる似顔絵画像を作成し、この作成された似顔絵画像を表示部に表示させる画像作成装置に用いられるデータ通信方法において、前記作成された似顔絵画像を表示部に表示させることができる一方で、文字または数字からなる文字データを指定すると、この指定された文字データを表示部に表示させることができ、また、相手先の電子機器の表示部に表示させるために送信するとともに、当該相手先の電子機器の表示部に表示されている似顔絵画像を変化させるために前記表示ステップにより表示された文字データを送信することができる。
【００２０】
請求項４に係る画像表示制御方法によれば、顔の各部毎の部分画像を組み合わせて似顔絵画像を作成し、この作成された似顔絵画像を表示部に表示させる画像表示制御方法において、表示部に前記作成された似顔絵画像を表示後、文字または数字からなるデータを外部から受信すると、この受信されたデータに応じて、前記表示部に表示されている似顔絵画像を構成する複数の部分画像の一部を他の部分画像へ置き換え、当該似顔絵画像を変化表示させることができる。
【００２１】
これにより、作成した画像を、様々なかたちのコミュニケーションに用いるなど、様々な用途に使用して楽しむことができる。
【００２２】
【実施例】
以下、図面を参照しながら本発明の実施例について詳細に説明する。
図１は、本発明の一実施例に係わる、使用者により携帯される画像作成装置の内部回路の構成を示すブロック図である。
【００２３】
同図において、ＣＰＵ１は、マイクロプロセッサ等からなる中央演算処理装置であり、特には図示しない内蔵のＲＯＭ（リード・オンリ・メモリ）に格納されたマイクロプログラムに基づいて装置全体を制御する。
【００２４】
そのＣＰＵ１には、キー入力部２、ＲＯＭ３、ＲＡＭ４、及び合成ＲＡＭ５が接続され、また、表示駆動回路６、及びその表示駆動回路６を介して表示部７が接続されている。さらに、送受信部８も接続されている。
【００２５】
キー入力部２は、複数種類の押下げ型スイッチを備えたキーボードを有しており、操作されたスイッチのキー入力信号をＣＰＵ１に出力する。ＲＯＭ３は、リード・オンリ・メモリであり、後述する図３乃至図５に示すように、顔画像を構成する部分画像や質問返答データ等を記憶する。
【００２６】
ＲＡＭ４は、ランダム・アクセス・メモリであり、後述する図６に示すように、所定のデータを記憶する各レジスタにより構成され、ＣＰＵ１により入力データが書き込まれ、あるいはその書き込まれた入力データが読み出される。
【００２７】
合成ＲＡＭ５は、ビットイメージメモリであり、そのメモリ上に、入力データによって指定されたＲＡＭ４の複数の顔等の部分画像から合成される１個の似顔絵画像（モンタージュ画像）が合成され、あるいはその合成されたモンタージュ画像が読み出される。
【００２８】
表示駆動回路６は、デコーダ、ドライバ等からなっており、ＣＰＵ１から入力する表示データをデコードし、表示駆動用の印加電圧信号を作成して、その印加電圧信号を表示部７に出力する。
【００２９】
表示部７は、液晶表示装置を備えており、表示駆動回路６から入力する印加電圧信号に基づいて、上記液晶表示装置に所定の表示を行なう。送受信部８は、ＬＥＤ（Ｌｉｇｈｔ  Ｅｍｉｔｔｉｎｇ  Ｄｉｏｄｅ：  発光ダイオード）、スイッチングＦＥＴ等を備えた送信部と、フォトダイオード又はフォトトランジスタや増幅器、ローパスフィルタ等を備えた受信部からなる。送信部は、ＣＰＵ１から入力されるパラレル信号をシリアルの”Ｈ”及び”Ｌ”の電気信号に変換し、この電気信号によりスイッチングＦＥＴをオン・オフさせ、そのオン・オフに伴いＬＥＤをオン・オフさせることにより、所定のデータを含んだ光信号を外部に出力する。
また、受信部は、フォトダイオード（又はフォトトランジスタ）が相手装置の送信部のＬＥＤから光信号を受けてオン・オフすることにより光信号を電気信号に変換し、この電気信号を増幅し、その増幅された電気信号の中からＬＥＤの発光信号の周波数成分のみを取り出し、この周波数信号をパラレルのデジタル信号に変換し、その変換した信号をＣＰＵ１に出力する。
【００３０】
次に、図２に、上記キー入力部２のキーボードの構成を示す。
同図に示すキー入力部２のキーボードは、中央より上方に、縦横３個×３個、合計９個の指定キーからなる指定部２１、中央に、上下左右の方向にそれぞれ向く矢印の付された４個のカーソルキー及び上向き三角形と下向き三角形の２個の選択キーからなる選択部２２、及び中央より下方に、データ入力用の数値キー及び文字キーからなる入力部２３を備えている。
【００３１】
上記キーボードの指定部２１のＭキー２１−１は、操作モード指定キーであり、このキー操作により、計算や送受信可能な通常モードとモンタージュ画像作成や名刺データ入力等のデータ作成モードとに操作モードが交互に切り替わる。
【００３２】
Ｆキー２１−２は、自他モード指定キーであり、このキー操作により、上記データ作成モードにおいて、自己モンタージュ作成モードと複数の人のモンタージュ画像作成やデータ入力を行うＤＢ（データバンク）用データ・モンタージュ作成モードとに、自他モードが交互に切り替わる。
【００３３】
モンタージュ作成キー２１−３は、入力モード指定キーであり、このキー操作により、上記データ作成モードにおいて、モンタージュ作成モードと文字（数字）データ入力モードとに入力モードが交互に切り替わる。
【００３４】
Ｑ１  キー２１−４、Ｑ２  キー２１−５、及びＱ３  キー２１−６は、それぞれ質問指定キーであり、これらのキー操作により、後述する３種類の質問の内、いずれか１つの質問が指定される。
【００３５】
「いいよ」キー２１−７、及び「だめ」キー２１−８は、それぞれ返答指定キーであり、これらのキー操作により、後述する２種類の返答の内、いずれか１つの返答が指定される。
【００３６】
送信キー２１−９は、送信を指定（指示）するキーであり、このキー操作により、上記各指定キーで指定された内容の送信データが図１に示す送受信部８の送信部から外部に送信される。
【００３７】
次に、キーボード中央の上向き三角形と下向き三角形の２個の選択キーは、基本型の顔画像選択キーであり、データ作成モードにおけるモンタージュ作成モードにおいて、これらのキー操作により、後述するモンタージュ画像の基本型の似顔絵画像が選択される。また、２個の選択キーの左方に配置された上下左右の方向にそれぞれ向く矢印の付された４個のカーソルキーは、パーツ選択キーであり、これらのキー操作により、上記選択された似顔絵画像（モンタージュ画像）の基本型において、部分画像が選択される。
【００３８】
そして、キーボード下方の入力部２３の数値キー及び文字キーは、これらのキー操作により、データ作成モードにおける文字（数字）入力モードにおいて、苗字、名前、住所等の文字データや、電話番号等の数字データが入力される。なお、この入力部２３には、特には図示しないが登録キーが設けられており、この登録キーの入力操作により、上記指定キーにより指定される質問データや返答データ、あるいは選択キーにより選択される基本型の似顔絵画像に関連した部分画像用のパーツ番号等のデータが登録される。
【００３９】
次に、図３に、ＲＯＭ３の第１の領域に記憶されている顔の基本型の部分画像を示す。
同図において、基本型の部分画像は、左から右へ１番〜５０番の５０通りの部分画像が記憶されている。勿論、ＲＯＭ３の容量の大小によっては、５０より多くてもよく、また少なくすることもできる。
上記５０通りの基本型の似顔絵画像には、それぞれ顔の輪郭の部分（パーツまたは部位ともいう）３ｐ−１、髮の部分画像３ｐ−２、目の部分画像３ｐ−３、鼻の部分画像３ｐ−４、及び口の部分画像３ｐ−５の５つの部分画像が記憶されている。
これらの各部分画像は、図２に示すキーボード中央の選択キーを用いて任意に選択して組み合わせることができる。これらの基本型の似顔絵画像の５０通りの目の部分画像３ｐ−３及び口の部分画像３ｐ−５の表情は、いずれも通常の、即ち平静な表情を示すものが記憶されている。
【００４０】
図４（ａ）、（ｂ）、（ｃ）  は、ＲＯＭ３の第２の領域に記憶されている上記基本型の似顔絵画像１番、２番、３番、・・・の目の部分画像３ｐ−３及び口の部分画像３ｐ−５にそれぞれ対応する変化部分画像を示す図である。
同図（ａ）  は、楽しいときの表情を表す目の部分画像３ａ−１及び口の部分画像３ａ−２である。同図（ｂ）は、哀しいときの表情を表す目の部分画像３ｂ−１及び口の部分画像３ｂ−２である。同図（ｃ）  は、怒ったときの表情を表す目の部分画像３ｃ−１及び口の部分画像３ｃ−２である。
【００４１】
図５は、ＲＯＭ３の第３の領域に記憶されている質問データと返答データのテーブルである。
同図に示すように、図２の質問指定キーのＱ１  キー２１−４、Ｑ２  キー２１−５及びＱ３  キー２１−６で指定される質問データの「あそぼう？」、「しゅくだいおしえて？」及び「ゆるしてね」がそれぞれ記憶されている。
また、それぞれの質問データに対する返答データが記憶される。即ち、質問データの「あそぼう？」に対しては、図２の「いいよ」キー２１−７で指定される返答データの「楽」、「だめ」キー２１−８で指定される返答データの「哀」がそれぞれ記憶される。また、質問データの「しゅくだいおしえて？」に対しては、「いいよ」キー２１−７で指定される返答データの「楽」、「だめ」キー２１−８で指定される返答データの「怒」がそれぞれ記憶される。そして、質問データの「あそぼう？」に対しては、「いいよ」キー２１−７で指定される返答データ及び「だめ」キー２１−８で指定される返答データとして共に「基本」が記憶される。
【００４２】
これによって、送信側から返答データと共に送信される基本型の似顔絵画像の目の部分画像３ｐ−３及び口の部分画像３ｐ−５の部分画像が、上記返答データの「楽」の指定によって、受信側では、図４（ａ）  に示す楽しいときの表情を表す目の部分画像３ａ−１及び口の部分画像３ａ−２の部分画像に変換される。また、返答データの「哀」の指定によって、図４（ｂ）  に示す哀しいときの表情を表す目の部分画像３ｂ−１及び口の部分画像３ｂ−２の部分画像に変換される。また、返答データの「怒」の指定によって、図４（ｃ）  に示す怒ったときの表情を表す目の部分画像３ｃ−１及び口の部分画像３ｃ−２の部分画像に変換される。そして、返答データの「基本」の指定によって、図３に示す基本型の似顔絵画像の目の部分画像３ｐ−３及び口の部分画像３ｐ−５の部分画像、即ち送信された部分画像が選択される。
【００４３】
次に、図６に、ＲＡＭ４の内部構成を示す。
同図において、表示レジスタ６１は、図１に示す表示部７に表示する表示データを記憶する。レジスタｎは、操作モードを指定するフラグレジスタであり、その記憶する値が、図２に示すキーボードの指定部２１のＭキー２１−１の入力操作毎に「０」→「１」→「０」と切り替わる。「０」のときは計算や送受信可能な通常モードを指定し、「１」のときはモンタージュ作成や名刺データ入力等のデータ作成モードを指定する。
【００４４】
レジスタｆは、自他モードを指定するフラグレジスタであり、その記憶する値が、図２に示すキーボードの指定部２１のＦキー２１−２の入力操作毎に「０」→「１」→「０」と切り替わる。「１」のとき自己モンタージュ作成モードを指定し、「０」のときＤＢ用データ・モンタージュ作成モードを指定する。
【００４５】
レジスタｌは、送受信モードを示すフラグレジスタであり、図１の送受信部８が、相手装置の質問データを受信してから自装置の返答データを送信するまでの間は「１」を記憶し、その他の場合は「０」を記憶する。
【００４６】
自己モンタージュデータレジスタ６２は、後述するＤＢ用モンタージュデータと同様の自己に関するモンタージュデータを記憶する。ＤＢ用レジスタ６３−１、６３−２、６３−３、・・・は、それぞれ友人、知人等の一人分のモンタージュデータを名前、電話番号、住所等のデータと共に記憶する。モンタージュデータの記憶領域は、輪郭、髮、目、鼻及び口の５つのデータ領域に分かれており、それぞれの領域に、キー入力によって選択された図３に示す基本型の似顔絵画像の各部分画像指定データである部分画像指定番号が記憶される。
【００４７】
以上の構成において、図１に示すＣＰＵ１により行なわれる処理動作を、図７〜図１３に示すフローチャートを用いて説明する。
図７は、プログラム全体の流れを示すゼネラル・フローチャートである。
同図に示すフローチャートにおいて、先ずステップＡ１では、図１に示す送受信部８が相手装置の送信データを受信しているか否か判別し、送信データを受信していれば、ステップＡ２に進んで後述する受信処理を行って処理を終了する。
【００４８】
上記ステップＡ１で、受信していない場合は、続いてステップＡ３で、図２に示すキー入力部２のキーボードからキー入力がなされているか否か判別する。そして、キー入力がなければ直ちに処理を終了するが、キー入力があればステップＡ４に進んで、上記キー入力は送信キー２１−９によるキー入力であるか否か判別する。
【００４９】
上記判別で、送信キー２１−９によるキー入力である場合は、ステップＡ５で後述する送信処理を行って処理を終了する。一方、送信キー２１−９によるキー入力でない場合は、後述する他のキー処理を行って処理を終了する。
【００５０】
ここで、上記ステップＡ６の他のキー処理におけるモンタージュ作成処理を、図８に示すフローチャートを用いて説明する。
なお、この処理は、図２に示すキーボードのモンタージュ作成キー２１−３によるキー入力に基づいて開始される。また、Ｆキー２１−２の操作により、自他モードが自己モンタージュ作成モードであるか又はＤＢ用データ・モンタージュ作成モードであるか予め指定されており、その指定によって、図６に示すＲＡＭの自己モンタージュデータレジスタ６２又はＤＢ用レジスタ６３−１、６３−２、６３−３、・・・の中のいずれか１つのレジスタが選択され、そのモンタージュデータ領域が使用される。
【００５１】
先ず、図８のフローチャートのステップＭ１において、基本型の似顔絵画像として「１」、変更パーツ（部位）として「輪郭」を初期設定する。
次にステップＭ２で、後述するデータ合成処理を行い、続いてステップＭ３で、上記合成処理を行ったモンタージュデータ（各部分画像指定番号）に基づいて、図１の表示駆動回路６を介して表示部７に、モンタージュデータに対応するモンタージュ画像の表示を行う。これにより、初期においては、基本型の似顔絵画像１番のモンタージュ画像が表示され、モンタージュ画像の輪郭部が点滅又は反転等により変更開始部位として表示される。
【００５２】
次に、ステップＭ４で、図２に示すキーボードの選択部２２における上向き三角形の選択キー２２−５又は下向き三角形の選択キー２２−６からキー入力があるか否か判別する。そして、キー入力がなければ、続いてステップＭ６で、図２に示すキーボードの選択部２２における上向矢印のカーソルキー２２−１又は下向矢印のカーソルキー２２−２からキー入力があるか否か判別する。この判別でキー入力がなければ、さらにステップＭ８で、図２に示すキーボードの選択部２２における左向矢印のカーソルキー２２−３又は右向矢印のカーソルキー２２−４からキー入力があるか否か判別する。ここでキー入力がなければ、次にステップＭ１０に進んで、登録キーが入力操作されたか否か判別し、ここで登録キーが入力操作されていない場合は、ステップＭ４に戻って、ステップＭ４〜Ｍ８のキー入力の判別を繰り返す。
【００５３】
上記ステップＭ４の判別で、上向き三角形の選択キー２２−５又は下向き三角形の選択キー２２−６からキー入力がある場合は、ステップＭ５に進んで、基本型の似顔絵画像の設定を変更し、ステップＭ２のデータ合成処理に戻る。これにより、現在表示されている基本型の似顔絵画像が表示変更される。このとき、上向き三角形の選択キー２２−５によるキー入力の場合は、現在表示されているモンタージュ画像の基本型の似顔絵画像番号より順次上の番号の基本型の似顔絵画像へ設定を変更する。
一方、下向き三角形の選択キー２２−６によるキー入力の場合は、現在表示されている基本型の似顔絵画像の各部分画像指定番号より順次下の番号の基本型の似顔絵画像へ設定を変更する。
【００５４】
次に、上記ステップＭ６の判別で、上向き矢印のカーソルキー２２−１又は下向き矢印のカーソルキー２２−２からキー入力がある場合は、ステップＭ７に進んで、部分画像の種類を変更し、ステップＭ２のデータ合成処理に戻る。これにより、現在、設定により表示されている基本型の似顔絵画像の部分画像の種類である輪郭、髮、目、鼻、又は口の表示のいずれか１つの表示が、変更すべき部分画像として表示画面上で点滅等で表示される。このとき、上向き矢印のカーソルキー２２−１によるキー入力の場合は、キー入力の都度、現在表示されているモンタージュ画像の点滅が、口→鼻→目→髮→輪郭→口の順に移動する。
一方、下向き矢印のカーソルキー２２−２によるキー入力の場合は、キー入力の都度、現在表示されているモンタージュ画像の点滅が、輪郭→髮→目→鼻→口→輪郭の順に移動する。
【００５５】
続いて、上記ステップＭ８の判別で、左向き矢印のカーソルキー２２−３又は右向き矢印のカーソルキー２２−４からキー入力がある場合は、ステップＭ９に進んで、部分画像の部分画像指定番号を変更し、ステップＭ２のデータ合成処理に戻る。これにより、現在、設定により表示されている基本型の似顔絵画像の上記点滅表示により選択されている部分画像が、キー入力にしたがって変更される。このとき、左向き矢印のカーソルキー２２−３によるキー入力の場合は、キー入力の都度、現在点滅表示されているモンタージュ画像の部分画像が、５０番の部分画像→・・・→３番の部分画像→２番の部分画像→１番の部分画像→５０番の部分画像の順に変化する。
【００５６】
一方、右向き矢印のカーソルキー２２−４によるキー入力の場合は、キー入力の都度、現在点滅表示されているモンタージュ画像の部分画像が、１番の部分画像→２番の部分画像→３番の部分画像→・・・→５０番の部分画像→１番の部分画像の順に変化する。
【００５７】
そして、上記ステップＭ１０で、登録キーが入力操作されていた場合は、ステップＭ１１に進み、上述したように変更・設定され、ステップＭ２で合成され、ステップＭ３で表示されている似顔絵画像に対応したモンタージュデータである各部分画像指定番号を、所定のモンタージュデータ領域に登録して処理を終了する。
【００５８】
続いて、上記ステップＭ２のデータ合成処理を、図９に示すフローチャートを用いて説明する。
先ず、ステップＤ１で、所定のモンタージュデータ領域に設定された輪郭Ｎｏ．（図３に示す輪郭の部分画像３ｐ−１の基本型の似顔絵画像の各部分画像指定番号）を読み取り、次に、ステップＤ２で、その読み取った基本型の似顔絵画像の各部分画像指定番号に対応する輪郭の部分画像３ｐ−１の部分画像をＲＯＭ３の第１の記憶領域から読み出して合成ＲＡＭ５の所定領域に格納する。
【００５９】
続いて、ステップＤ３で、髮Ｎｏ．（図３に示す髮の部分画像３ｐ−２の基本型の似顔絵画像の各部分画像指定番号）を読み取り、次に、ステップＤ４で、その読み取った基本型の似顔絵画像の各部分画像指定番号に対応する髮の部分画像３ｐ−２の部分画像をＲＯＭ３の第１の記憶領域から読み出して合成ＲＡＭ５の所定領域に格納する。
【００６０】
さらに、ステップＤ５において、上記と同様に、目、鼻及び口についても、それぞれ基本型の似顔絵画像の各部分画像指定番号を読み取り、その読み取った基本型の似顔絵画像の各部分画像指定番号に対応する目の部分画像３ｐ−３、鼻の部分画像３ｐ−４、及び口の部分画像３ｐ−５をＲＯＭ３の第１の記憶領域からそれぞれ読み出して、合成ＲＡＭ５の所定領域に格納する。これにより、モンタージュ画像が合成ＲＡＭ５内に作成される。
【００６１】
そして、ステップＤ６で、上記合成ＲＡＭ５内に作成されたモンタージュ画像を図１に示す表示部７に表示する。
続いて、上記モンタージュ作成処理が行われる他のキー処理を、図１０、図１１に示すフローチャートを用いて説明する。なお、両図に示す２つのフローチャートは、▲１▼及び▲２▼において、それぞれ互いに接続していることを示している。
【００６２】
先ず、ステップＡ７において、Ｍキー２１−１によるキー入力があるか否か判別し、キー入力がある場合は、さらにステップＡ８で、フラグレジスタｎの値（フラグ）が「０」であるか否か判別する。そして、フラグが「０」であればステップＡ９に進んで、フラグレジスタｎに「１」を設定して処理を終了し、一方、フラグが「１」であればステップＡ１０に進んで、フラグレジスタｎに「０」を設定して処理を終了する。これにより、Ｍキー２１−１のキー入力毎に、フラグレジスタｎのフラグが「０」と「１」とに交互に切り替わり、したがって、操作モードが通常モードとデータ作成モードに交互に切り替わる。
【００６３】
上記ステップＡ７で、Ｍキー２１−１によるキー入力がない場合は、ステップＡ１１に進んで、Ｆキー２１−２によるキー入力があるか否か判別する。そして、Ｆキー２１−２によるキー入力がある場合は、さらにステップＡ１２で、フラグレジスタｎのフラグを参照し、上記Ｆキー２１−２によるキー入力が、データ作成モードにおいてなされたものか否かを判別する。
【００６４】
この判別で、フラグレジスタｎのフラグが「１」であれば、データ作成モードにおいてなされたＦキー２１−２によるキー入力であると判別し、この場合は、さらにステップＡ１３で、フラグレジスタｆのフラグが「０」であるか否か判別する。そして、フラグが「０」であればステップＡ１４に進んで、フラグレジスタｆに「１」を設定して処理を終了し、一方、フラグが「１」であればステップＡ１５に進んで、フラグレジスタｆに「０」を設定して処理を終了する。これにより、データ作成モードにおいては、Ｆキー２１−２のキー入力毎に、フラグレジスタｆのフラグが「０」と「１」とに交互に切り替わり、したがって、自他モードがＤＢ用データ・モンタージュ作成モードと自己モンタージュ作成モードとに交互に切り替わる。
【００６５】
上記ステップＡ１２の判別で、フラグレジスタｎのフラグが「０」であれば、上記Ｆキー２１−２によるキー入力は、通常モードにおいてなされたものであると判別し、この場合は直ちに処理を終了する。これにより、通常モードでは、Ｆキー２１−２によるキー入力は無視される。
【００６６】
上記ステップＡ１１で、Ｆキー２１−２によるキー入力がない場合は、ステップＡ１６に進んで、モンタージュ作成キー２１−３によるキー入力があるか否か判別する。そして、モンタージュ作成キー２１−３によるキー入力がある場合は、さらにステップＡ１７で、フラグレジスタｎのフラグを参照し、上記モンタージュ作成キー２１−３によるキー入力が、データ作成モードにおいてなされたものか否かを判別する。
【００６７】
この判別で、フラグレジスタｎのフラグが「１」であれば、データ作成モードにおいてなされたモンタージュ作成キー２１−３によるキー入力であると判別し、この場合は、ステップＡ１８で、フラグレジスタｆのフラグを参照し、いずれの自他モードが設定されているか判別する。
【００６８】
そして、フラグレジスタｆのフラグが「０」であれば、ＤＢ用データ・モンタージュ作成モードであると判別して、この場合はステップＡ１９に進み、ＤＢ用データの入力及び図８のフローチャートで説明したＤＢ用モンタージュの作成処理を行って処理を終了する。
【００６９】
一方、上記ステップＡ１８で、フラグが「１」であれば、自己モンタージュ作成モードであると判別して、この場合はステップＡ２０に進み、これも図８のフローチャートで説明した自己モンタージュ作成処理を行って処理を終了する。
【００７０】
これにより、例えば、図１４（ａ）  に示すように、男子「甲」の装置では自己モンタージュ作成モードにおいて、基本型の似顔絵画像２番の輪郭の部分画像、基本型の似顔絵画像３番の髮の部分画像、基本型の似顔絵画像１番の鼻の部分画像及び目の部分画像、基本型の似顔絵画像２番の口の部分画像と選択されて、設定された自分のモンタージュデータが、図６に示す自己モンタージュデータレジスタ６２に登録される。
また、一方、女子「乙」の装置では、例えば、同図（ｂ）  に示すように、基本型の似顔絵画像１番の輪郭の部分画像、基本型の似顔絵画像２番の髮の部分画像、鼻の部分画像及び目の部分画像、基本型の似顔絵画像１番の口の部分画像と選択されて、設定された自分のモンタージュデータが自己モンタージュデータレジスタ６２に登録される。
【００７１】
なお、上記ステップＡ１７における判別で、フラグレジスタｎのフラグが「０」であれば、直ちに処理を終了する。これにより、通常モードにおいてなされたモンタージュ作成キー２１−３によるキー入力は無視される。
【００７２】
また、上記ステップＡ１６における判別の結果、モンタージュ作成キー２１−３によるキー入力がない場合は、ステップＡ２１に進んで、「いいよ」キー２１−７のキー入力があるか否か判別し、キー入力があれば、続いてステップＡ２２で、フラグレジスタｌのフラグを参照し、上記「いいよ」キー２１−７のキー入力が送受信モードにおける返答データの送信期間においてなされたものであるか否か判別する。
【００７３】
フラグレジスタｌのフラグが「１」であれば、現在は返答データの送信期間であると判別し、ステップＡ２３に進んで、「いいよ」データをセットして、表示部７に「いいよ」を表示する。これにより、図５に示したように、受信した質問データが「あそぼう？」又は「しゅくだいおしえて？」の場合であれば「楽」データが設定され、受信した質問データが「ゆるしてね」の場合であれば「基本」データが設定される。
【００７４】
また、上記ステップＡ２２で、フラグレジスタｌのフラグが「０」であれば、直ちに処理を終了する。これにより、返答データの送信期間でない場合は、「いいよ」キー２１−７のキー入力は無視される。
【００７５】
上記ステップＡ２１で、「いいよ」キー２１−７のキー入力がない場合は、ステップＡ２４に進んで、「だめ」キー２１−８のキー入力があるか否か判別する。そして、そのキー入力があれば、続いてステップＡ２５で、フラグレジスタｌのフラグを参照し、上記同様「だめ」キー２１−８のキー入力が送受信モードにおける返答データの送信期間においてなされたものであるか否か判別する。
【００７６】
フラグレジスタｌのフラグが「１」であれば、現在は返答データの送信期間であると判別し、ステップＡ２６に進んで、「だめ」データをセットして、表示部７に「だめ」を表示する。これにより、図５に示したように、受信した質問データが「あそぼう？」であれば「哀」データ、質問データが「しゅくだいおしえて？」であれば「怒」データ、質問データが「ゆるしてね」であれば「基本」データがそれぞれ設定される。
【００７７】
上記ステップＡ２５で、フラグレジスタｌのフラグが「０」であれば、直ちに処理を終了する。これにより、返答データの送信期間でない場合は、「だめ」キー２１−８のキー入力は無視される。
【００７８】
また、上記ステップ２４で、「だめ」キー２１−８のキー入力がない場合は、ステップＡ２７に進んで、Ｑ１  キー２１−４、Ｑ２  キー２１−５、又はＱ３  キー２１−６のキー入力があるか否か判別する。この判別で上記３つの質問指定キーのいずれか１つのキー入力がなされている場合は、続いてステップＡ２８で、フラグレジスタｌのフラグを参照し、上記キー入力が送受信モードにおける質問データの送信期間においてなされたものであるか否か判別する。
【００７９】
そして、フラグレジスタｌのフラグが「０」であれば、現在は質問データの送信期間であると判別し、ステップＡ２９に進み、図５に示したように、Ｑ１  キー２１−４のキー入力に対しては「あそぽう？」の質問データ、Ｑ２  キー２１−５のキー入力に対しては「しゅだいおしえて？」の質問データ、又はＱ３  キー２１−６のキー入力であれば「ゆるしてね」の質問データを設定すると共に、表示部７にこれらの質問データを表示する。
【００８０】
上記ステップＡ２８で、フラグレジスタｌのフラグが「１」であれば、直ちに処理を終了する。これにより、質問データの送信期間でない場合は、Ｑ１  キー２１−４、Ｑ２  キー２１−５、又はＱ３  キー２１−６のキー入力は無視される。
【００８１】
上述のようにして設定された、モンタージュデータ、質問データ、又は返答データを送信する図７のステップＡ５の送信処理を、図１２のフローチャートを用いて説明する。
先ず、ステップＡ３０において、フラグレジスタｌのフラグが「０」であるか否か判別するする。そして、フラグが「０」であれば現在は質問データの送信期間であると判別し、ステップＡ３１に進んで、Ｑ１  キー２１−４、Ｑ２  キー２１−５、又はＱ３  キー２１−６のキー入力により設定されている質問データの番号データ及び自己モンタージュデータを送信する。
【００８２】
これにより、例えば図１５（ａ）  に示すように、甲の装置においてＱ１  キー２１−４のキー入力により設定（指定）された「あそぼう」という質問データが、図１４（ａ）  に示す自己モンタージュデータと共に乙の装置に送信されると、乙の装置の後述する受信処理により、乙の装置の表示部７に、この受信された質問データの「あそぼう」の表示と共に、この受信された自己モンタージュデータに対応する、男子の「甲」のモンタージュ画像甲１が、基本型のモンタージュ画像の形で表示される。
また、上記処理が乙の装置でなされた場合は、例えば図１５（ｃ）  に示すように、Ｑ２  キー２１−５のキー入力により設定された「しゅだいおしえて？」という質問データが、図１４（ｂ）  に示す自己モンタージュデータと共に甲の装置に送信されると、甲の装置の後述する受信処理により、甲の装置の表示部７に、この受信された質問データの「しゅだいおしえて？」の表示と共に、この受信された自己モンタージュデータに対応する、女子の「乙」のモンタージュ画像乙１が、基本型のモンタージュ画像の形でで表示される。
【００８３】
上記ステップＡ３０において、フラグレジスタｌのフラグが「１」である場合は、現在は返答データの送信期間であると判別し、ステップＡ３２に進んで、「いいよ」キー２１−７又は「だめ」キー２１−８により設定されている返答データを、自己モンタージュデータと共に送信する。
【００８４】
これにより、例えば図１５（ｄ）  に示すように、甲の装置において上記「しゅだいおしえて？」という質問データの受信に対する返事として「いいよ」キー２１−７のキー入力を行うと、これにより設定された「楽」のデータが、図１４（ａ）  に示す自己モンタージュデータと共に乙の装置に送信されるので、これに応答して、乙の装置の後述する受信処理により、乙の装置の表示部７に、返答データの「いいよ」の表示と共に、受信されたモンタージュデータに対応する、男子である「甲」のモンタージュ画像甲２が、図４（ａ）  に示す「楽」の表情に変化された状態で表示される。
また、上記処理が乙の装置でなされた場合は、例えば図１５（ｂ）  に示すように、上記甲からの「あそぼう」データの受信に対する返事として「だめ」キー２１−８の入力により設定された「哀」のデータが、図１４（ｂ）  に示す自己モンタージュデータと共に甲の装置に送信されると、甲の装置の後述する受信処理により、甲の装置の表示部７に「だめ」の表示と共に、受信されたモンタージュデータに対応する、女子「乙」のモンタージュ画像乙２が、図４（ｂ）  に示す「哀」の表情に変化された状態で表示される。
【００８５】
上記ステップＡ３２に続いて、ステップＡ３３でフラグレジスタｌのフラグを「０」にセットする。これにより、返答期間の終了が設定される。続いて、上記送信データを受信したときにおける、図７のステップＡ２の受信処理を、図１３のフローチャートを用いて説明する。
【００８６】
先ず、ステップＡ３４において、フラグレジスタｌのフラグが「０」であるか否か判別するする。そして、フラグが「０」であれば現在は送受信モードにおける受信期間であると判別し、ステップＡ３５に進んで、受信したデータが質問データであるか否か判別する。そして、質問データであれば、ステップＡ３６で、受信した質問データの番号データに対応した質問データ及び相手モンタージュデータを表示部７に表示する。
【００８７】
これにより、例えば図１５（ａ）、（ｃ）  に示した「あそぼう」という質問データＡ１と男子「甲」のモンタージュ画像甲１や、「しゅだいおしえて？」という質問データＡ２と女子「乙」のモンタージュ画像乙１が表示される。
【００８８】
続いて、ステップＡ３７で、フラグレジスタｌのフラグを「１」にセットして処理を終了する。これにより、上記受信した質問データに対する返答データの送信期間が設定される。
【００８９】
上記ステップＡ３５の判別で、受信したデータが質問データでないときは、ステップＡ３８に進んで、さらにその受信データが返答データであるか否か判別する。そして、返答データであった場合は、ステップＡ３９で、その受信した返答データに対応する返答文字を表示部７に表示すると共に、受信した相手モンタージュデータの目の部分画像３ｐ−３及び口の部分画像３ｐ−５のデータを、これと対応する上記返答データに対応する目の表情の部分画像に変化させ、及び口の表情の部分画像に変化させて表示部７に表示する。
【００９０】
これにより、例えば図１５（ｂ）、（ｄ）  に示した「だめ」という返答データＡ３と女子「乙」のモンタージュ画像乙２の「哀」の表情に変化された状態、「いいよ」という返答データＡ４と男子「甲」のモンタージュ画像甲２の「楽」の表情に変化された状態が表示される。
【００９１】
上記ステップＡ３９に続いて、ステップ４０で終了処理を行って処理を終了する。この処理は、一定時間、上記受信した返答データを表示した後、表示を消去する処理である。
【００９２】
なお、本実施例においては、３種類の質問の中から１つの質問を選択・指定するようにしているが、選択できる質問を３種類に限ることなく、これより多い複数種類の質問を用意してキー選択するようにしてもよい。また、２種類の返答の中から１つの返答を選択・指定するようにしているが、３つ以上の返答を用意してキー選択することもできる。また、返答の種類に応じて受信側で表情データに変換しているが、送信側で変換してから送信するようにしてもよい。
【００９３】
【発明の効果】
上述したように、この発明によれば、次のような効果を奏することができる。
すなわち、請求項１に係る画像作成装置によれば、似顔絵画像を構成している複数の部分画像を指定するための指定データと前記似顔絵画像と共に表示されるコメントデータとを受信すると、この受信された指定データにより指定された複数の部分画像を組み合わせて似顔絵画像を自動的に作成しこの作成された似顔絵画像を表示部に表示させることができるばかりでなく、この表示された似顔絵画像と共に、受信されたコメントデータを表示部に表示させることができる。
請求項２に係る画像作成装置によれば、顔の各部毎の部分画像を組み合わせて作成された似顔絵画像を第１の似顔絵画像として表示部に表示させることができる一方で、この表示されている第１の似顔絵画像を構成している複数の部分画像を指定するための指定データと第１の似顔絵画像と共に表示される第１のコメントデータとを外部の電子機器に送信し、この指定データと第１のコメントデータとを外部の電子機器へ送信した後、外部の電子機器から第１の似顔絵画像とは異なる第２の似顔絵画像を構成している複数の部分画像を指定するための指定データと当該第２の似顔絵画像と共に表示される第２のコメントデータとを受信すると、この受信された指定データにより指定された複数の部分画像を組み合わせて似顔絵画像を自動的に作成しこの作成された似顔絵画像を表示部に表示させることができる。そればかりでなく、この表示された似顔絵画像と共に、受信されたコメントデータを表示部に表示させることができる。
請求項３に係るデータ通信方法によれば、複数の部分画像の組み合わせからなる似顔絵画像を作成し、この作成された作成された似顔絵画像を表示部に表示させることができる一方で、文字または数字からなる文字データを指定すると、この指定された文字データを表示部に表示させることができ、また、相手先の電子機器の表示部に表示させるために送信するとともに、当該相手先の電子機器の表示部に表示されている似顔絵画像を変化させるために前記表示ステップにより表示された文字データを送信することができる。
請求項４に係る画像表示制御方法によれば、顔の各部毎の部分画像を組み合わせて似顔絵画像を作成し、この作成された似顔絵画像を表示後、文字または数字からなるデータを外部から受信すると、この受信されたデータに応じて、前記表示部に表示されている似顔絵画像を構成する複数の部分画像の一部を他の部分画像へ置き換え、当該似顔絵画像を変化表示させることができる。
【図面の簡単な説明】
【図１】この発明の一実施例に係わる画像作成装置の内部回路の構成を示すブロック図である。
【図２】キー入力部の外観構成を示す図である。
【図３】ＲＯＭに記憶されている基本型の似顔絵画像を構成する各部分画像を示す図である。
【図４】（ａ），（ｂ），（ｃ）  はＲＯＭに記憶されている表情変化用の各部分画像を示す図である。
【図５】ＲＯＭに記憶されている質問・返答データのテーブルを示す図である。
【図６】ＲＡＭの内部構成を示す図である。
【図７】この発明のゼネラルフローチャートである。
【図８】モンタージュ作成処理のフローチャートである。
【図９】データ合成処理のフローチャートである。
【図１０】他のキー処理のフローチャート（その１）である。
【図１１】他のキー処理のフローチャート（その２）である。
【図１２】送信処理のフローチャートである。
【図１３】受信処理のフローチャートである。
【図１４】（ａ），（ｂ）  は自己モンタージュデータの例を説明する図である。
【図１５】（ａ），（ｂ），（ｃ），（ｄ）  はモンタージュ画像通信の操作例を示す図である。
【符号の説明】
１  ＣＰＵ
２  キー入力部
３  ＲＯＭ
４  ＲＡＭ
５  合成ＲＡＭ
６  表示駆動部
７  表示部
【図１】
0003617459.tif 000002
【図２】
0003617459.tif 000003
【図３】
0003617459.tif 000004
【図４】
0003617459.tif 000005
【図５】
0003617459.tif 000006
【図６】
0003617459.tif 000007
【図７】
0003617459.tif 000008
【図８】
0003617459.tif 000009
【図９】
0003617459.tif 000010
【図１０】
0003617459.tif 000011
【図１１】
0003617459.tif 000012
【図１２】
0003617459.tif 000013
【図１３】
0003617459.tif 000014
【図１４】
0003617459.tif 000015
【図１５】
0003617459.tif 000016